(57)【特許請求の範囲】
【請求項１】
液晶パネルを任意に傾斜させるチルトロック機構において、
前記液晶パネルを収納するための箱体の該箱体両側壁に設けられ、複数の該液晶パネルを実装した枠体を支持し、該液晶パネルの実装位置より手前に設けたシャフトを軸中心として回動するブラケットと、
前記ブラケットに設けられて前記シャフトの軸中心と同心円に配置され、かつ、前記箱体の前面パネルの裏面に近接して配置される長孔を形成した円弧状摺動片と、
前記ブラケットを回動自在とし、前記液晶パネルを任意の傾斜角とする前記シャフトに設けられたチルト機構と、
前記前面パネル面より突出した摘み部を有し、前記長孔に挿通されて前記チルト機構をロックして前記ブラケットを固定するとともに該液晶パネルの傾斜角を設定するためのチルトロックネジを備え、前記前面パネルから前記長孔を貫通してストッパー片に設けたネジ孔に該チルトロックネジの先端を螺合させて、該前面パネルと該ストッパー片との摩擦力により、前記円弧状摺動片を緊合して前記液晶パネルを任意の傾斜角にロックし、かつ該チルトロックネジを緩めることによって、前記チルト機構のロック状態を解除し得るロック機構と
を備えることを特徴とするチルトロック機構。
【請求項２】
前記液晶パネルの傾斜角を前記円弧状摺動片に形成された前記長孔に沿って規制し、該液晶パネルの垂直位置から前方方向への傾斜角を１５〜２０度とし、かつ後方方向への傾斜角を１０〜１５度とすることを特徴とする請求項１に記載のチルトロック機構。
【請求項３】
前記枠体に実装した前記液晶パネルを支持し、その傾斜角度を任意に設定し、かつ所定の傾斜角にロックする請求項１または２に記載のチルトロック機構を備えることを特徴とする液晶パネル。
【請求項４】
請求項３に記載の液晶パネルの前記箱体の両側壁にラック装着用の取付耳部を設け、かつ操作者の上方または下方視野に対応して、前記シャフトの位置を、前記液晶パネルの長手方向中心から下方または上方に選択的に設けて前記液晶パネルを前後に回動可能としたことを特徴とするラックマウント用液晶パネル。
【発明の詳細な説明】
【０００１】
【発明の属する技術分野】
本発明は、液晶パネル等のチルトロック機構、同機構を備える液晶パネルおよびラックマウント用液晶パネルに関し、ラックに搭載される液晶パネルの視野角の調整が容易なチルトロック機構とその機構を備えたラックマウント用等の液晶パネルに関するものである。
【０００２】
【従来の技術】
図５は、従来の液晶表示装置の一例を示している。従来の液晶表示装置では、枠体２に設けられた液晶パネル１が、基台４に立設されたブラケット５にチルト機構３によって、回動自在に取り付けられている。チルト機構３は、ブラケット５に突出する軸に、枠体２にネジ止めされた回動ブラケット６を挿通し、かつ中間部材７とバネ８と挿通して、ワッシャ１０を介挿してナット９で固定し、バネ力によって中間部材７を押圧して、回動ブラケット６に適度な摩擦力を与えることによって、液晶パネル１の傾斜角を任意に設定し得るようになされている。
【０００３】
【発明が解決しようとする課題】
図５の液晶表示装置は、無段階チルト機構を示している。この液晶表示装置では、液晶パネル１を任意の傾斜角にロックする場合、ブラケット５と回動ブラケット６とをさらに拘束する機構を設ける必要があり、このようなチルト機構では、簡便な構造であって、しかも前面からロック機構を操作し得るロック機構とするのは困難である。例えば、液晶パネルは、種々の用途に利用されており、中継車等の車両に液晶パネルを搭載する場合、ラックの上部から下部の任意の位置に装着される。仮に、ラックの上部に液晶パネルを搭載する場合、操作者は、上方から見上げるようにして液晶パネルの表示を視認することになり、液晶パネルの最適な視野角を得るために傾斜角を調整して、その傾斜角を安易に変動しないようにロックする必要がある。
【０００４】
本発明は、上記のような課題に鑑みなされたものであり、液晶パネルを任意の傾斜角でロックし得るチルトロック機構、同機構を備える液晶パネルおよびラック搭載用に適したラックマウント用液晶パネルを提供することを目的とするものである。
【０００５】
【課題を解決するための手段】
本発明は、上述の課題を解決するためになされたものであり、請求項１の発明は、液晶パネルを任意に傾斜させるチルトロック機構において、
前記液晶パネルを収納するための箱体の該箱体両側壁に設けられ、複数の該液晶パネルを実装した枠体を支持し、該液晶パネルの実装位置より手前に設けたシャフトを軸中心として回動するブラケットと、
前記ブラケットに設けられて前記シャフトの軸中心と同心円に配置され、かつ、前記箱体の前面パネルの裏面に近接して配置される長孔を形成した円弧状摺動片と、
前記ブラケットを回動自在とし、前記液晶パネルを任意の傾斜角とする前記シャフトに設けられたチルト機構と、
前記前面パネル面より突出した摘み部を有し、前記長孔に挿通されて前記チルト機構をロックして前記ブラケットを固定するとともに該液晶パネルの傾斜角を設定するためのチルトロックネジを備え、前記前面パネルから前記長孔を貫通してストッパー片に設けたネジ孔に該チルトロックネジの先端を螺合させて、該前面パネルと該ストッパー片との摩擦力により、前記円弧状摺動片を緊合して前記液晶パネルを任意の傾斜角にロックし、かつ該チルトロックネジを緩めることによって、前記チルト機構のロック状態を解除し得るロック機構とを備えることを特徴とするチルトロック機構である。
【０００６】
請求項１の発明では、液晶パネルを実装した枠体の両側にブラケットを固定し、これらのブラケットが箱体の側壁に固定され、ブラケットは箱体側壁に取り付けられたシャフトに回動自在に設けられており、液晶パネルの実装位置より手前に配置されたシャフトに設けられたチルト機構によって、液晶パネルを任意の傾斜角に設定できる。かつ、ブラケットに設けられた円弧状摺動片に長孔が設けられ、チルトロックネジを箱体の前面パネルに設けた貫通孔に挿通して長孔に挿通し、ストッパー片に設けたネジ孔に螺合させて、前面パネルとストッパー片とで、円弧状摺動片に摩擦力を与えてロックし、かつチルトロックネジを緩めることによって、ロックを解除するようにしたチルトロック機構である。因みに、本発明では、円弧状摺動片が前面パネルに緩慢に当接させることで、円弧状摺動片の弾力性による摩擦力によって、チルト機構を構成してもよい。なお、請求項１の液晶パネルは、平坦な表示装置の代表として例示するものであり、他の平坦な表示装置を含むものと解釈する。
【０００７】
また、請求項２の発明は、前記液晶パネルの傾斜角を前記円弧状摺動片に形成された前記長孔に沿って規制し、該液晶パネルの垂直位置から前方方向への傾斜角を１５〜２０度とし、かつ後方方向への傾斜角を１０〜１５度とすることを特徴とする請求項１に記載のチルトロック機構である。
【０００８】
請求項２の発明では、円弧状摺動片がシャフトの回動軸中心に対して、同心円上に形成されており、液晶パネルの回動を円弧状摺動片に形成された長孔にチルトロックネジが挿通されて、円弧状摺動片の回動を規制しており、液晶パネルの視野角を考慮し、前方へ１５〜２０度とし、後方へ１０〜１５度、回動するようにしたものであり、チルト機構とロック機構とを一体とした簡便な構造のチルトロック機構である。
【０００９】
また、請求項３の発明は、前記枠体に実装した前記液晶パネルを支持し、その傾斜角度を任意に設定し、かつ所定の傾斜角にロックする請求項１または２に記載のチルトロック機構を備えることを特徴とする液晶パネルである。
【００１０】
請求項３の発明では、液晶パネルをチルトロック機構で箱体に装着した液晶パネルであり、枠体に実装された液晶パネルが箱体内に収納され、操作者が任意に液晶パネルを前後に回動して、操作者から見て液晶パネルの視野角を最適な角度に設定することができ、かつ任意の傾斜角でロックすることができる液晶パネルであり、枠体には電源スイッチ等の操作部が設けられている。
【００１１】
また、請求項４の発明は、請求項３に記載の液晶パネルの前記箱体の両側壁にラック装着用の取付耳部を設け、かつ操作者の上方または下方視野に対応して、前記シャフトの位置を、前記液晶パネルの長手方向中心から下方または上方に選択的に設けて前記液晶パネルを前後に回動可能としたことを特徴とするラックマウント用液晶パネルである。
【００１２】
請求項４の発明では、請求項３に記載の液晶パネルを収納している箱体の両側壁にラック装着用の取付耳部を設けることによって、ラックマウント用液晶パネルとすることができ、さらにチルトロック機構のシャフトの位置を液晶パネルの長手方向中心線から下方または上方に選択的にずらした位置に設定することによって、操作者から見た上方または下方視野に対応して、最適な液晶パネルの視認角を維持し得るラックマウント用の液晶パネルとすることができる。
【００１３】
【発明の実施の形態】
以下、本発明に係る液晶パネル等のチルトロック機構、同機構を備える液晶パネルおよびラックマウント用液晶パネルの実施の形態について、図面を参照して説明する。なお、本発明は、液晶パネルに適したチルトロック機構に関し、このチルトロック機構に液晶パネルを装着したもの、かつラックマウント用に適した液晶パネルとしたものであり、以下、その詳細を説明する。
【００１４】
また、本発明では、平坦な表示装置として、液晶パネルを代表として説明するが、他の平坦な表示装置を含むものとし、液晶パネルの用語は、表示部のみを表す場合と、チルトロック機構を含む液晶装置の意味として使用されている。また、チルトロック機構とは、チルト機構とロック機構とを備えたものである。
【００１５】
図１は、本発明に係るラックマウント用の液晶パネルの実施形態を示しており、同図（ａ）は、その正面図であり、同図（ｂ）は、その側面図である。同図において、ラックマウント用液晶パネル１１は、液晶パネル１２を実装した枠体（フレーム）１３が箱体１４に装着されている。枠体１３には、各液晶パネル１２に対応して、電源スイッチ、輝度調整、画像範囲等の調整を行う操作部１５が設けられている。なお、図１では、三個の液晶パネル１２が枠体１３に装着されているが、液晶パネル１２の個数は、この実施形態に限定するものではない。さらに、枠体１３には、枠体１３を手動で所定の傾斜角度に調整する際に使用されるＵ字状の把持部１６が設けられている。なお、把持部１６は、Ｕ字形状である必要はなく、突起状であってもよい。
【００１６】
液晶パネル１２を実装した枠体１３は、液晶パネル１２を任意の傾斜角度に設定し得るように、チルトロック機構（図１には図示なし）を介在させて、箱体１４内に装着されている。箱体１４の前面の両側部には、前面パネル１４ａが設けられ、前面パネル１４ａの後部にチルト機構が収納されている。チルトロック機構のチルトロックネジの摘み部１８ａが前面パネル１４ａから突出している。なお、同図では、摘み部１８ａが両側の前面パネル１４ａに設けられているが、チルトロック機構を一方のみとすることで、摘み部１８ａを片側のみとしてもよい。また、この箱体１４内に設けられた液晶パネル１２は、箱体１４の両側壁外側に貫通孔１７ａを形成した取付耳部１７を設けることによって、容易にラックに搭載することができる。
【００１７】
上記ラックマウント用液晶パネルのチルトロック機構は、図２に示したように、前面パネル１４ａの裏側であって、箱体１４の両側内壁に設けられている。チルトロック機構のブラケット２１は、箱体１４の側壁にシャフト２２の軸中心に回動するように固定され、液晶パネル１２を実装した枠体１３の両側がブラケット２１に固定されている。ブラケット２１の前方には、円弧状摺動片２１ｃが設けられ、円弧状摺動片２１ｃには、長孔２１ｂが形成されている。円弧状摺動片２１ｂは、箱体４の前面パネル１４ａの裏面に近接し、ブラケット２１を回動させると、ブラッケト２１に回動につれて回動する。チルトロックネジ１８は、その先端部が前面パネル１４ａに設けた貫通孔に挿通され、かつ長孔２１ｂを貫通して、そのネジ部がストッパー片１９のネジ孔に螺合している。チルトロックネジ１８の先端部は、ダブルナット２０によって掛止部を形成している。なお、長孔２１ｂには、チルトロックネジ１８が挿通されているので、液晶パネルの傾斜角の最大傾斜範囲を規制するのに利用することができる。なお、傾斜角Ｑａは、１５〜２０度であり、傾斜角Ｑｂは１０〜１５度である。
【００１８】
続いて、図３，図４を参照して、本実施形態の液晶パネル用のチルトロック機構について詳細に説明する。なお、図３は、液晶パネル用のチルトロック機構の詳細を示す分解斜視図であり、図４（ａ），（ｂ）はチルトロック機構の原理を説明するための説明図である。
【００１９】
本実施形態の液晶パネル用のチルトロック機構は、チルト機構とロック機構とを一体としたものであり、図３に示したように、ブラケット２１は、貫通孔２１ｄが形成された側板部２１ａと、側板部２１ａの前方に側板部２１ａの面に対して直角方向に折り曲げられた円弧状摺動片２１ｃと、液晶パネルを実装した枠体を固定する取付部２１ｅとで構成されている。取付部２１ｅには、液晶パネルの枠体の位置決めに用いる突起２７が形成されている。また、ブラケット２１の側板部２１ａは、液晶パネルを前後に傾斜させた際に、前面パネル１４ａに当接しないように切り込まれている。
【００２０】
ブラケット２１には、鍔付シャフト２２に二つのウェーブワッシャ２４とスペーサ２５とが挿通されて、貫通孔２１ｄに挿通され、かつ鍔付シャフト２２の他端部に鍔付リング２３が設けられている。ブラケット２１は、箱体１４の側壁部に三カ所の貫通孔１４ｃが設けられて、それらの貫通孔１４ｃにネジ２６を挿通して、鍔付シャフト２２に設けたネジ孔２２ａに螺合して、箱体１４の側壁部に固定されている。ブラケット２１は、鍔付シャフト２２の軸中心を中心として回動し、ウェーブワッシャ２４のバネ力によって、任意の傾斜角を維持し得る。ブラケット２１の側板部２１ａの前方には、円弧状摺動片２１ｃが設けられている。円弧状摺動片２１ｃは、鍔付シャフト２２の軸中心と同心円の部材であり、円弧状摺動片２１ｃには、長孔２１ｂが形成されている。円弧状摺動片２１ｃは、箱体４の前面パネル１４ａの裏面に近接して、ブラケット２１の回動に連動して、円弧状摺動片２１ｃが、前面パネル１４ａの裏面に摺動するように、鍔付シャフト２２を軸中心として回動する。なお、鍔付シャフト２２は、中空構造とし、その軸径は、太くすることが可能であり、比較的重量の重い液晶パネルを回動自在に装着することができる。
【００２１】
また、チルトロック機構は、任意の傾斜角に固定するためのロック機構が備えられている。このロック機構は、チルトロックネジ１８の先端部がワッシャ１８ｄを介挿させて、前面パネル１４ａに設けた貫通孔１４ｂに挿通され、さらに長孔２１ｂに挿通されて、そのネジ部１８ｂをストッパー片１９のネジ孔１９ａに螺合されている。チルトロックネジ１８の先端のネジ部１８ｃは、ダブルナット２０を互いに逆方向に螺合して掛止部を形成している。チルトロックネジ１８は、ダブルナット２０による掛止部によって、抜け落ちることはない。
【００２２】
続いて、本実施形態のチルトロック機構のロック動作について、図４を参照して説明する。同図（ａ）は、チルトロック機構をロックした状態を示す図であり、同図（ｂ）はロックを解除して、液晶パネルを任意の傾斜角度に設定し得る状態とした図を示している。
【００２３】
先ず、同図（ａ）において、液晶パネルを任意の傾斜角とし、チルトロックネジ１８の摘み部１８ａを回転させる。ストッパー片１９の一端は、側板部２１ａに当接しており、チルトロックネジ１８のネジ部１８ｂがストッパー片１９のネジ孔に螺合して、ストッパー片１９が回転することなく、手前に移動する。ストッパー片１９は、円弧状摺動片２１ｃを押圧する。円弧状摺動片２１ｃは、前面パネル１４ａの裏面に接触して、前面パネル１４ａとの摩擦力が増大し、前面パネル１４ａとストッパー片１９とで円弧状摺動片２１ｃが緊合され、チルトロック機構はロックされる。一方、チルトロックネジ１８を緩めることによって、ストッパー片１９は、後退して、前面パネル１４ａとストッパー片１９とによる円弧状摺動片２１ｃとの摩擦力が緩和され、チルトロック機構のロックが解除される。
【００２４】
なお、液晶パネルは、前面パネル１４ａと略面一となるように、箱体に装着されており、液晶パネルを前方または後方に傾斜させると、シャフト２２を軸中心として回動して、任意の傾斜角Ｑａ，Ｑｂに設定できるとともに、任意の傾斜角に設定することができる。
【００２５】
また、図４では、ストッパー片１９が円弧状摺動片２１ｃに円弧面で接触しているが、この実施形態に限定するものではない。ストッパー片１９は、図４の実施形態のように湾曲面を有しないもので、その両面が平坦な長四角形状の平板状部材にネジ孔を形成したものであればよい。このストッパー片１９では、チルト機構をロックする場合、ストッパー片１９の平面部分が円弧状摺動片２１ｃの円弧面を押圧し、円弧状摺動片２１ｃの円弧形状を押し広げるようにして、前面パネル１４ａとの摩擦力を増大させて、チルト機構をロックすることができる。チルトロックネジ８は、円弧状摺動片２１ｃの弾力性を利用して、チルト機構をロックしており、チルトロックネジ８の緩み防止することができる。
【００２６】
なお、図１のラックマウント用液晶パネルの実施形態では、本実施形態のブラッケットによるチルトロック機構が、液晶パネル１２の長手方向中心線Ｃに対して、チルトロック機構の軸中心線Ｂを下方に設けられている。この実施形態では、操作者がラックの上部に設置した液晶パネル１２を下方から視認し易いものとすることができる。
【００２７】
一方、液晶パネルがラックの下方に実装される場合、チルトロック機構は、その軸中心線Ｂが長手方向中心線Ｃより上方となるように、箱体の側部に設けるとよい。図１の実施形態を参照して説明すると、左右のチルトロック機構のみを逆に箱体の側壁に取り付け、枠体に実装された液晶パネルを装着することで、液晶パネルの下側の傾斜角を、より大きく設定することができるので、ラックの下方に設置された液晶パネルの視野角を最適なものとすることができる。すなわち、本実施形態のチルトロック機構では、高い位置や低い位置に液晶パネルを設置する場合に対応することができ、視認性を良なものとすることができる。
【００２８】
また、図１の実施形態では、液晶パネルの傾斜角が、液晶パネルの垂直位置から前方方向への傾斜角Ｑａを１５〜２０度とすることができ、かつ液晶パネルの垂直位置から後方方向への傾斜角Ｑｂを１０〜１５度とすることができる。この傾斜角は、円弧状摺動片に形成された長孔の長手方向の長さを調整することで、容易に最大傾斜角を規制することができる。無論、液晶パネルの最大傾斜角は、箱体１４の内側に突起部を形成して、ブラケット２１を上下方向に傾斜させた際に、ブラケット２１の側板部２１ａの上下がこの突起部に当接するようにして、最大傾斜角を規制するようにしてもよい。
【００２９】
なお、上記実施形態において、円弧状摺動片は、ブラケットと一体に打ち抜き形成してもよいし、円弧状摺動片をブラケットに溶接して一体としてもよい。また、後者の場合、円弧状摺動片をより可撓性のよく、バネ力の強い材質を利用して、その部材をブラケットに溶接またはビス止めしてもよい。
【００３０】
【発明の効果】
上記のように、本発明によれば、液晶パネルを支持し、かつチルト機構とロック機構を兼ね備えるチルトロック機構を簡便な機構で構成できる利点があり、しかもチルト機構のシャフトの軸径を大きくすることが可能であり、比較的重量の重い大型の液晶パネルにも対応することができる利点がある。さらに、この構造のチルトロック機構は、液晶パネルの前後の傾斜角度が比較的大きく設定できる利点があり、液晶パネルの最適な視野角に容易に調整し得る利点がある。また、このロック機構では、ロック時の拘束力が強い利点があり、振動に強い利点が車両搭載用適している。
【００３１】
また、本発明によれば、液晶パネルをラックの高い位置に搭載したとしてもチルトロック機構の回動軸を液晶パネルの長手方向中心より下方とすることで、液晶パネルの上部を前方に回動させて液晶パネルを最適な視野角に容易に設定することができる利点がある。また、ラックの低い位置に液晶パネルを搭載した場合でも同様である。
【００３２】
また、本発明によれば、箱体内に固定されたチルトロック機構によって、液晶パネルが収納された構造であり、ラックマウント用以外の他の用途の液晶パネルにも対応することができる利点がある。
【図面の簡単な説明】
【図１】本発明に係るラックマウント用の液晶パネルの実施形態を示し、同図（ａ）はその正面図であり、同図（ｂ）はその側面図である。
【図２】本実施形態の液晶パネルに備えられたチルトロック機構の概略を示す一部切欠斜視図である。
【図３】本実施形態の液晶パネル用のチルトロック機構の詳細を示す分解斜視図である。
【図４】（ａ），（ｂ）は、チルトロック機構の動作機構を説明するための説明図である。
【図５】従来例の液晶装置の一部切欠斜視図である。
【符号の説明】
１１  ラックマウント用の液晶パネル
１２  液晶パネル
１３  枠体
１４  箱体
１４ａ  前面パネル
１５  操作部
１６  把持部
１７  取付耳部
１８  チルトロックネジ
１８ａ  摘み部
１９  ストッパー片
２０  ダブルナット
２１  ブラケット
２１ａ  側板部
２１ｂ  長孔
２１ｃ  円弧状摺動片
２１ｄ  貫通孔
２１ｅ  取付部
２２  鍔付シャフト
２３  鍔付リング
２４  ウェーブワッシャ
２５  スペーサ
【図１】
0004749564.tif 000002
【図２】
0004749564.tif 000003
【図３】
0004749564.tif 000004
【図４】
0004749564.tif 000005
【図５】
0004749564.tif 000006